(57)【要約】【課題】携帯電話の所有者が自分のＩＰ電話機を利用できる環境にある場合に、携帯電話に対して着信があった時、携帯電話でなくＩＰ電話機に着信接続するようにする。【解決手段】ＩＰ電話機１００は、接続ポート２０９に接続された携帯電話の充電器３０と、充電器３０上の携帯電話を検出する携帯電話検出手段２０７と、携帯電話の電話番号を取得する携帯電話番号取得手段２０５と、携帯電話検出手段２０７が携帯電話を検出した際に、管理サーバに携帯電話への着信を当該ＩＰ電話機に転送設定するための転送設定情報を登録する転送設定登録手段２０４と、プレゼンス情報を設定するプレゼンス情報設定手段２０７と、転送設定情報およびプレゼンス情報を管理サーバに登録する登録制御手段２０８と、を備え、管理サーバは、携帯電話が検出されている場合、ＩＰ電話システムに接続された他のＩＰ電話機から携帯電話への着信を、該当するＩＰ電話機１００に接続する。【選択図】図２
2007318232.tif 000002
【特許請求の範囲】
【請求項１】
複数のＩＰ電話機と、前記各ＩＰ電話機に割当てられた電話番号と前記各ＩＰ電話機の各種設定情報とを含む設定情報を記憶する登録管理メモリを有し、呼の接続制御を行う管理サーバと、からなるＩＰ電話システムにおいて、
前記ＩＰ電話機は、接続ポートに接続された携帯電話の充電器と、前記充電器に携帯電話がセットされたことを検出する携帯電話検出手段と、前記携帯電話の電話番号を取得する携帯電話番号取得手段と、前記携帯電話検出手段が前記充電器にセットされた携帯電話を検出した際に、前記管理サーバに携帯電話への着信を当該ＩＰ電話機に転送するための転送設定情報を登録する転送設定登録手段と、前記転送設定情報を前記管理サーバに登録する登録制御手段と、を備え、
前記管理サーバは、当該ＩＰ電話システムに接続されたＩＰ電話機から携帯電話への着信を、前記登録管理メモリを参照して携帯電話が前記充電器にセットされている場合、該当するＩＰ電話機に接続することを特徴とするＩＰ電話システム。
【請求項２】
前記管理サーバは、当該ＩＰ電話システムに接続されたＩＰ電話機から携帯電話への着信を、前記登録管理メモリを参照して携帯電話が前記充電器にセットされていない場合、該当する携帯電話に接続することを特徴とする請求項１に記載のＩＰ電話システム。
【請求項３】
前記ＩＰ電話機は更に、前記携帯電話検出手段が前記充電器にセットされた携帯電話を検出した際に、利用者が在席中であることを示すプレゼンス情報を当該ＩＰ電話機に設定するプレゼンス情報設定手段を備え、前記設定されたプレゼンス情報は前記登録制御手段によって前記管理サーバに登録されることを特徴とするＩＰ電話システム。
【請求項４】
各ＩＰ電話機に割当てられた電話番号と前記各ＩＰ電話機の各種設定情報とを含む設定情報を記憶する登録管理メモリを有し、呼の接続制御を行う管理サーバに接続されるＩＰ電話機において、
前記ＩＰ電話機は、接続ポートに接続された携帯電話の充電器と、前記充電器に携帯電話がセットされたことを検出する携帯電話検出手段と、前記携帯電話の電話番号を取得する携帯電話番号取得手段と、前記携帯電話検出手段が前記充電器にセットされた携帯電話を検出した際に、前記管理サーバに携帯電話への着信を当該ＩＰ電話機に転送設定するための転送設定情報を登録する転送設定登録手段と、前記転送設定情報を前記管理サーバに登録する登録制御手段と、を備えたことを特徴とするＩＰ電話機。
【請求項５】
前記ＩＰ電話機は、前記携帯電話検出手段が前記充電器にセットされた携帯電話を検出しない場合、転送設定登録手段が前記管理サーバに転送設定をオフとする転送設定情報を登録することを特徴とする請求項４に記載のＩＰ電話機。
【請求項６】
前記ＩＰ電話機は更に、前記携帯電話検出手段が前記充電器にセットされた携帯電話を検出した際に、利用者が在席中であることを示すプレゼンス情報を当該ＩＰ電話機に設定するプレゼンス情報設定手段を備え、前記設定されたプレゼンス情報は前記登録制御手段によって前記管理サーバに登録されることを特徴とするＩＰ電話機。
【発明の詳細な説明】
【技術分野】
【０００１】
本発明は、インターネット網におけるデータ通信機能を利用して電話通信を行うＩＰ電話システムおよびＩＰ電話機に関するものであり、特に、ＩＰ電話機の利用者が持つ携帯電話をＩＰ電話機と連携させ、携帯電話の所有者が自分のＩＰ電話機を利用できる環境にある場合には、携帯電話番号をＩＰ電話機経由で管理サーバに登録し、その携帯電話に対して着信があった場合、携帯電話でなくＩＰ電話機に着信接続するようにしたＩＰ電話システムおよびＩＰ電話機に関するものである。
【背景技術】
【０００２】
近年、ＩＰネットワークを使用したＩＰ電話サービスが行われている。ＩＰ電話システムにおいて、送話側からの音声はディジタル化され、さらにＩＰパケットに変換され、ＩＰネットワーク上を流れ、通話先（受話側）まで到達する。通話先において受信されたＩＰパケットは元の情報に復元され、こうして送話側と通話先との間で通話を行うことができる。このＩＰ電話システムは、既存の電話網と比べて、運用・保守・管理コストを削減することができるため、広く使用されつつある。
【０００３】
このようなＩＰ電話システムとして、現在、ＶｏＩＰ（Ｖｏｉｃｅ  ｏｖｅｒ  Ｉｎｔｅｒｎｅｔ  Ｐｒｏｔｏｃｏｌ）システムが市販されている。ＶｏＩＰシステムの代表的な呼制御プロトコルとしてＳＩＰ（Ｓｅｓｓｉｏｎ  Ｉｎｉｔｉａｔｉｏｎ  Ｐｒｏｔｏｃoｌ）がある。このＳＩＰのサーバによる呼制御にはＩＮＶＩＴＥと呼ばれる発信用の制御コマンドがある。ＩＮＶＩＴＥコマンドは発信側のＩＰ電話機より送信先に送られる最初の制御メッセージで、このメッセージには、宛先アドレス、発信者アドレス、通信能力情報のほか発信者名や会社名などを電話機毎に発呼用の付帯情報として着信先に送ることができる。
【０００４】
ＩＰネットワークでは、ＩＰアドレスのような機器に割当てられたアドレスを使用することによって相手を一意に認識する必要がある。このため、一般に、ゲートキーパあるいはゲートウエイと呼ばれる装置を使用する。ゲートキーパあるいはゲートウエイは、ＩＰ電話機に割当てられた電話番号とＩＰアドレスとを関連付けたデータベースを管理しており、ＩＰ電話機からの電話番号の指定に応じ、対応するＩＰアドレスを検索することによって、通話先のＩＰ電話機のＩＰアドレスを指定できるようにする。
【０００５】
例えば、特許文献１（特開２００４−１４７１０１号公報）に開示されたＩＰ電話システムにおいては、ＩＰ電話機の運用開始前に、ＩＰ電話機からＭＡＣアドレスおよびＩＰアドレスを受信し、そのネットワークアドレスに含まれるアドレスに基づいて予め設定された電話番号を採番してＩＰ電話機に通知するとともに、電話番号、ＩＰアドレスおよびＭＡＣアドレスを関連づけて登録・管理する電話番号採番手段を備えたゲートキーパ装置を開示している。上記特許文献１で開示されたような装置を使用すると、ユーザー端末ごとに、電話番号などの固有のアドレスや設定情報を電源投入時等に自動的に設定することができる。
【０００６】
前述のようなＩＰ電話システムにおいて、特定のＩＰ電話機に着信があった場合、相手側（発信側）ＩＰ電話機と着信側ＩＰ電話機との間で、音声コーデックやパケット長などの接続メディアを確認しあった後に接続、通話が開始される。このプロセスを一般にはネゴシエーションプロセスという。ネゴシエーションプロセスは、例えば現在市販されているＶｏＩＰ（Ｖｏｉｃｅ  ｏｖｅｒ  Ｉｎｔｅｒｎｅｔ  Ｐｒｏｔｏｃｏｌ）システムを用いて行われる。
【０００７】
このＳＩＰの呼制御にはＩＮＶＩＴＥメッセージと呼ばれる発呼用の制御コマンドがある。ＩＮＶＩＴＥメッセージは発信側のＩＰ電話機より送信先に送られる最初の制御メッセージで、このメッセージには、宛先アドレス、発信者アドレス、音声や画像に関するコーデックを含む通信能力情報などをＩＰ電話機毎に発呼用の付随情報として持たせることができ、このコマンドを用いてネゴシエーションプロセスを行っている。
【０００８】
一方、携帯電話の普及が進んだ現在では、オフィスや家庭内においてＩＰ電話機の他に携帯電話が使用されることも多い。企業が職員のデスクに設置する個人ごとのＩＰ電話機の他に携帯電話を支給して、外出先や出張先において業務上携帯電話を使用させるケースも増加している。
【０００９】
携帯電話に対する通話料金とＩＰ電話システムによるデータ通信料金とでは差があり、ＩＰ電話機を利用した通話のほうが経済的負担は少なくて済む。上記のようにＩＰ電話機と携帯電話が併用され、携帯電話の所有者が自分のＩＰ電話機を利用できる環境にある場合には、携帯電話への着信があってもＩＰ電話機に着信接続するよう制御できると通信費用を節減でき好ましい。
【００１０】
このような制御を行う技術は、例えば、下記の特許文献２（特開２００４−１８７２８４号公報）に通話料金節減装置およびシステムとして開示されている。この通話料金節減装置は、公衆回線網又はインターネットに接続している公衆回線網に接続する装置であり、
そのインターフェースに携帯電話機を接続させることにより、該携帯電話機の電話番号が自動的に交換機又はサーバ内のデータファイルに登録した固定電話番号に対応させて登録するように構成したものである。これにより交換機又はサーバは任意の電話機から該携帯電話機の電話番号が入力された場合には、移動体通信網に接続することなく対応する（登録された）固定電話機の固定電話番号に直に着信するように接続制御する。このようなシステムによって携帯電話への通話が固定電話に直に着信するため、固定電話間の低廉な通話料金で通話が可能になるともに、良好な通話品質を得ることができるようになる。
【００１１】
この通話料金節減装置は、携帯電話を接続するインターフェースとして近距離無線通信機能を有するＲＦ−ＩＤタグを用いたものであり、制御手段は携帯電話機とのインターフェース７によって携帯電話機の接続の有無あるいはＲＦ−ＩＤタグが読取機の情報読取可能域に到達したことを検知して、携帯電話機が保有する携帯電話番号、あるいはＲＦ−ＩＤタグから読み取った情報すなわちＩＤコードをＲＡＭに書き込むコンピュータプログラムを実行し、ＲＡＭ３への書き込み完了後、自動的に交換機あるいはサーバに接続して、ＲＡＭ３に書き込まれた携帯電話番号を交換機あるいはサーバ内の番号データファイルに対して送信するコンピュータプログラムを実行する。
【００１２】
このような構成により交換機あるいはサーバに携帯電話の番号と固定電話の番号等が対応付けられて登録され、また、携帯電話機の接続が解除された時には、自動的に該当する携帯電話番号を番号データファイルから削除するよう交換機あるいはサーバに依頼するから、携帯電話への着信を固定電話に接続することができるようになる。
【００１３】
一般に上記のような着信制御としてよく知られた方法には不在転送制御機能がある。例えば、下記の特許文献３（特開２００５−１８１９４号公報）には、プレゼンス状態テーブルを設けて電話、電子メールなどの着信転送の登録、設定を行えるようにしたコミュニケーション交換システムが開示されている。
【００１４】
この特許文献３に開示されたコミュニケーション交換システムは、交換機にユーザーのプレゼンスを示すユーザープレゼンス状態テーブルを備え、ユーザーのプレゼンスに応じて転送先を設定したユーザー毎転送先テーブルをメモリに格納している。ユーザー宛に着信があると、交換機はユーザープレゼンス状態テーブルを参照してユーザーのプレゼンス状態を得て、プレゼンス状態に対応した転送先を、ユーザー毎転送先テーブルを参照して決定する。そして、ユーザーのプレゼンスが変更されれば、ユーザープレゼンス状態テーブルが書き換えられ、転送先を新たに設定することなく転送先を変更できるように構成したものである。
【特許文献１】特開２００４−１４７１０１号公報
【特許文献２】特開２００４−１８７２８４号公報（図１、段落［００１２］、［００１２］）
【特許文献３】特開２００５−１８１９４号公報
【発明の開示】
【発明が解決しようとする課題】
【００１５】
しかしながら、上記特許文献２に開示されたシステムによれば、携帯電話を接続するインターフェースを有する通話料金節減装置をシステム内に設ける必要があるという問題点があり、また接続インターフェースとして近距離無線通信機能を有するＲＦ−ＩＤタグなどを用いるものであるから携帯電話や通話料金節減装置がそれらの機能を備える必要がありコストが増大するという問題点がある。
【００１６】
本願の発明者は上記の問題点を解消すべく種々検討を重ねた結果、携帯電話の利用者が自分のＩＰ電話機を利用できる環境にいる場合、例えば、ＩＰ電話機が設置された自分のデスクで執務している場合には、携帯電話がデスク上に置かれている充電器にセットされて充電状態におかれていることが多いという点に着目し、ＩＰ電話機のＵＳＢポートに充電器を接続し、携帯電話が充電器にセットされていることを検出してサーバにＩＰ電話機と当該ＩＰ電話機に接続された充電器にセットされた携帯電話の電話番号との対応を登録して、携帯電話への着信を該当するＩＰ電話機に着信するようになせば上記問題点を解消し得ることに想到して本発明を完成するに至ったものである。
【００１７】
すなわち、本発明は上記の問題点を解消することを課題とし、ＩＰ電話機の利用者が持つ携帯電話をＩＰ電話機と連携させ、携帯電話の所有者が自分のＩＰ電話機を利用できる環境にある場合に、携帯電話に対して着信があった時、携帯電話でなくＩＰ電話機に着信接続するようにしたＩＰ電話システムおよびＩＰ電話機を提供することを目的とする。
【課題を解決するための手段】
【００１８】
前記課題を解決するために、本願の請求項１にかかる発明は、
複数のＩＰ電話機と、前記各ＩＰ電話機に割当てられた電話番号と前記各ＩＰ電話機の各種設定情報とを含む設定情報を記憶する登録管理メモリを有し、呼の接続制御を行う管理サーバと、からなるＩＰ電話システムにおいて、
前記ＩＰ電話機は、接続ポートに接続された携帯電話の充電器と、前記充電器に携帯電話がセットされたことを検出する携帯電話検出手段と、前記携帯電話の電話番号を取得する携帯電話番号取得手段と、前記携帯電話検出手段が前記充電器にセットされた携帯電話を検出した際に、前記管理サーバに携帯電話への着信を当該ＩＰ電話機に転送設定するための転送設定情報を登録する転送設定登録手段と、前記転送設定情報を前記管理サーバに登録する登録制御手段と、を備え、
前記管理サーバは、当該ＩＰ電話システムに接続されたＩＰ電話機から携帯電話への着信を、前記登録管理メモリを参照して携帯電話が前記充電器にセットされている場合、該当するＩＰ電話機に接続することを特徴とする
本願の請求項２にかかる発明は、請求項１にかかるＩＰ電話システムにおいて、
前記管理サーバは、当該ＩＰ電話システムに接続されたＩＰ電話機から携帯電話への着信を、前記登録管理メモリを参照して携帯電話が前記充電器にセットされていない場合、該当する携帯電話に接続することを特徴とする。
【００１９】
本願の請求項３にかかる発明は、請求項１にかかるＩＰ電話システムにおいて、
前記ＩＰ電話機は更に、前記携帯電話検出手段が前記充電器にセットされた携帯電話を検出した際に、利用者が在席中であることを示すプレゼンス情報を当該ＩＰ電話機に設定するプレゼンス情報設定手段を備え、前記設定されたプレゼンス情報は前記登録制御手段によって前記管理サーバに登録されることを特徴とする。
【００２０】
また、本願の請求項４にかかる発明は、
各ＩＰ電話機に割当てられた電話番号と前記各ＩＰ電話機の各種設定情報とを含む設定情報を記憶する登録管理メモリを有し、呼の接続制御を行う管理サーバに接続されるＩＰ電話機において、
前記ＩＰ電話機は、接続ポートに接続された携帯電話の充電器と、前記充電器に携帯電話がセットされたことを検出する携帯電話検出手段と、前記携帯電話の電話番号を取得する携帯電話番号取得手段と、前記携帯電話検出手段が前記充電器にセットされた携帯電話を検出した際に、前記管理サーバに携帯電話への着信を当該ＩＰ電話機に転送設定するための転送設定情報を登録する転送設定登録手段と、前記転送設定情報を前記管理サーバに登録する登録制御手段と、を備えたことを特徴とする。
【００２１】
本願の請求項５にかかる発明は、請求項４にかかるＩＰ電話機において、
前記ＩＰ電話機は、前記携帯電話検出手段が前記充電器にセットされた携帯電話を検出しない場合、転送設定登録手段が前記管理サーバに転送設定をオフとする転送設定情報を登録することを特徴とする。
【００２２】
本願の請求項６にかかる発明は、請求項４にかかるＩＰ電話機において、
前記ＩＰ電話機は更に、前記携帯電話検出手段が前記充電器にセットされた携帯電話を検出した際に、利用者が在席中であることを示すプレゼンス情報を当該ＩＰ電話機に設定するプレゼンス情報設定手段を備え、前記設定されたプレゼンス情報は前記登録制御手段によって前記管理サーバに登録されることを特徴とする。
【発明の効果】
【００２３】
請求項１にかかる発明においては、ＩＰ電話機は、接続ポートに接続された携帯電話の充電器と、前記充電器に携帯電話がセットされたことを検出する携帯電話検出手段と、前記携帯電話の電話番号を取得する携帯電話番号取得手段と、前記携帯電話検出手段が前記充電器にセットされた携帯電話を検出した際に、管理サーバに携帯電話への着信を当該ＩＰ電話機に転送設定するための転送設定情報を登録する転送設定登録手段と、前記転送設定情報を前記管理サーバに登録する登録制御手段と、を備え、管理サーバは、当該ＩＰ電話システムに接続されたＩＰ電話機から携帯電話への着信を、登録管理メモリを参照して携帯電話が前記充電器にセットされている場合、該当するＩＰ電話機に接続する。
【００２４】
このような構成によれば、ＩＰ電話機の利用者が携帯電話を所持しており、ＩＰ電話機を利用できる環境にある場合、すなわち、ＩＰ電話機に接続された充電器に携帯電話がセットされた場合には、携帯電話に対して着信があった時携帯電話でなくＩＰ電話機に着信接続することができ、通話料金を抑制することができるようになる。
【００２５】
また、請求項２にかかる発明においては、請求項１にかかるＩＰ電話システムにおいて、管理サーバは、当該ＩＰ電話システムに接続されたＩＰ電話機から携帯電話への着信を、前記登録管理メモリを参照して携帯電話が前記充電器にセットされていない場合、該当する携帯電話に接続するから、ＩＰ電話機の利用者が携帯電話を所持しており、ＩＰ電話機を利用できない環境にある場合には携帯電話に着信接続できるようになる。
【００２６】
また、請求項３にかかる発明においては、ＩＰ電話機は更に、前記携帯電話検出手段が前記充電器にセットされた携帯電話を検出した際に、利用者が在席中であることを示すプレゼンス情報を当該ＩＰ電話機に設定するプレゼンス情報設定手段を備え、前記設定されたプレゼンス情報は前記登録制御手段によって前記管理サーバに登録され、他のＩＰ電話利用者に、ＩＰ電話機の利用者が、ＩＰ電話機を利用できる環境にある、すなわち在席中であることがわかるようになる。
【００２７】
また、請求項４ないし請求項６にかかる発明においては、請求項１ないし請求項３にかかるＩＰ電話システムを構成するＩＰ電話機を提供することができるようになる。
【発明を実施するための最良の形態】
【００２８】
以下、本発明の具体例を実施例及び図面を用いて詳細に説明する。但し、以下に示す実施例は、本発明の技術思想を具体化するためのＩＰ電話システムを例示するものであって、本発明をこのＩＰ電話システムに特定することを意図するものではなく、特許請求の範囲に含まれるその他の実施形態のＩＰ電話システムにも等しく適用し得るものである。
【実施例】
【００２９】
本発明の実施例にかかるＩＰ電話機１２ａ〜１２ｄを用いたＩＰ電話システム１０は、図１に示すように、ローカルエリアネットワークであるＬＡＮ１１とＬＡＮ１１に接続されるＩＰ電話機１２ａ〜１２ｄと、ＬＡＮ１１に接続されるゲートウェイ（以下、ＧＷ１３という）１３と、ＬＡＮ１１に接続される管理サーバであるＳＩＰサーバ１４とから構成される。また、ＧＷ１３は公衆回線電話交換網（以下、ＰＳＴＮと記す）１５と繋がっている。また、ＬＡＮ１１はＶＰＮ（Ｖｉｒｔｕａｌ  Ｐｒｉｖａｔｅ  Ｎｅｔｗｏｒｋ）やインターネット等の外部のネットワーク１６と接続されている。
【００３０】
ＩＰ電話機１２ａ〜１２ｄは、固有の電話番号とＩＰアドレスを有し、ＧＷ１３およびＳＩＰサーバ１４のＩＰアドレスを記憶している。またＩＰ電話機１２ａ〜１２ｄは複数の音声コーデックを備え、通信相手と共通な音声コーデックやパケット長などの接続メディアを用いることで相互の通信が可能となる。共通な接続メディアを確認し、発信側ＩＰ電話機と着信側ＩＰ電話機の通信環境を整合させるプロセスが前述のネゴシエーションプロセスである。
【００３１】
ＧＷ１３は、ＰＳＴＮ１５の局交換機（不図示）と接続するためのものであり、呼制御機能や音声符号化機能を備えている。ＩＰ電話機１２ａ〜１２ｄの何れかとＰＳＴＮ１５に接続される固定電話局（不図示）とが通話する際には、ＳＩＰサーバ１４、ＧＷ１３、ＰＳＴＮ１５を介して呼制御される。
【００３２】
ＳＩＰサーバ１４は、電話番号とＩＰアドレスの対応付けである番号翻訳を行い、着信時には、電話番号から対応するＩＰアドレスを有するＩＰ電話機を特定して着信通知を行う。ＩＰ電話機１２ａ〜１２ｄの何れか同士で通話する場合やネットワーク１６を介して外部のＬＡＮなどに接続されたＩＰ電話機と接続される場合には、ＧＷ１３は経由せずＳＩＰサーバ１４のみを経由して呼接続される。
【００３３】
本発明においては、各ＩＰ電話機１２ａ〜１２ｄの利用者Ａ〜Ｄはそれぞれ携帯電話２１ａ〜２１ｄを所持しているものとする。利用者Ａ〜Ｄは自席を離れたり、あるいは、外出先に出かけたりする際には各自の携帯電話２１ａ〜２１ｄを所持して行き、そこからの業務上の連絡などは当該携帯電話２１ａ〜２１ｄを使用する。通常ＩＰ電話機１２ａ〜１２ｄと携帯電話２１ａ〜２１ｄの間には何ら連携関係がない。従って、ＩＰ電話システム１０のＬＡＮ１１に接続されＩＰ電話機から特定のＩＰ電話機の利用者に通話する場合、相手方が在席していない可能性があり、相手方が所持している携帯電話に発信することがよくある。
【００３４】
例えば、ＩＰ電話機１２ａからＩＰ電話機１２ｄの利用者Ｄに電話する場合、利用者Ｄの所持する携帯電話２１ｄに発信することがある。この場合、料金は携帯電話に対する通話料金になってしまう。着信を受けた利用者Ｄが自席に在席している場合，ＩＰ電話機１２ｄに発信すれば、ＩＰ電話機１２ａとＩＰ電話機１２ｄとの間で利用者Ｄと通話することができ、ＩＰ電話の通話料金で済む。
【００３５】
そこで、本発明においては、ＩＰ電話機１２ａ〜１２ｄの利用者が自席に在席している場合、各自が所持している携帯電話２１ａ〜２１ｄを充電器に置き充電状態にしているケースが多いことに着目し、ＩＰ電話機１２ａ〜１２ｄのＵＳＢポートに携帯電話の充電器を接続しておき、携帯電話１２ａ〜１２ｄをそれぞれの充電器に携帯電話が置かれたことを検出し得るようにする。
【００３６】
そして、ＩＰ電話機１２ａ〜１２ｄに接続された充電器により携帯電話２１ａ〜２１ｄが置かれたことが検出された場合、利用者が在席していることを示すプレゼンス情報を設定し、プレゼンス情報とともにＳＩＰサーバ１４にＩＰ電話機１２ａ〜１２ｄのＩＰアドレスや電話番号と携帯電話の電話番号の対応をおよび転送設定情報を送り、転送設定をオンにする制御を行う。このように構成することによって、内線接続されたＩＰ電話機１２ａ〜１２ｄから携帯電話２１ａ〜２１ｄに対して着信があった場合、ＳＩＰサーバ１４は登録されているＩＰ電話機１２ａ〜１２ｄに着信転送することができるようになる。
【００３７】
図２は、ＩＰ電話機１２ａ〜１２ｄの構成を示すブロック図である。本発明にかかるＩＰ電話機は図２において参照符号１００で示されており、図１のＩＰ電話機１２ａ〜１２ｄは何れも図２に示す構成を有している。
【００３８】
図２において、ＩＰ電話機１００は、ＬＡＮインターフェース１１０、スピーカ１２０、マイク１３０、音声コーデック１４０、表示部１５０、入力部１６０、制御手段２００を構成するＣＰＵ２０１、ＲＯＭ２０２、ＲＡＭ２０３、ＵＳＢポート２０９を備えて構成されている。ＵＳＢポート２０９には携帯電話を充電するための充電器３０が接続されている。
【００３９】
ＲＯＭ２０２には、各部の動作を制御するためのプログラムが記憶されており、また、ＣＰＵ２０１が充電器３０にセットされた携帯電話を検出する処理と、携帯電話の電話番号を取得する処理と、充電器３０にセットされた携帯電話を検出した際に、携帯電話への着信を当該ＩＰ電話機に転送設定するための転送設定情報を登録する処理と、プレゼンス情報を設定する処理と、転送設定情報およびプレゼンス情報をＳＩＰサーバ１４（管理サーバ）に登録する処理と、を行うプログラムが記憶されている。従って、制御手段２０１であるＣＰＵは、図２に示すように、転送設定登録手段２０４、携帯電話番号取得手段２０５、プレゼンス情報設定手段２０６、携帯電話検出手段２０７、登録制御手段２０８の機能を有している。
【００４０】
ＩＰ電話機１００はＬＡＮインターフェース（ＬＡＮ−Ｉ／Ｆ）１１０を介してネットワークのＬＡＮに接続されている。ＬＡＮは、所定の通信プロトコル、例えばＴＣＰ／ＩＰプロトコルを適用するＩＰネットワークで、ＳＩＰサーバ１４（図１参照）などの管理サーバとＩＰ電話機１００が接続されインターネットの通話網を形成している。通話における音声信号はスピーカ１２０から出力され、またはマイク１３０から入力される。音声コーデック１４０は音声の符号化と複合化、すなわち音声のアナログとディジタルの変換を行う他に、受話音量やマイクの感度変更の機能を備えている。
【００４１】
ＩＰ電話機１００状態や各種の表示画像はディスプレイパネルなどで構成された表示部１５０に表示される。入力部１６０はボタンやキー１６１を備え、ＩＰ電話機１００の各種設定や電話番号入力に用いられる。制御手段２００はマイクロプロセッサなどのＣＰＵ２０１を中心に構成され、ＣＰＵ２０１は、ＲＯＭ２０２、ＲＡＭ２０３等に記憶された制御プログラムやアプリケーションプログラムにより制御手段２００の各部およびＩＰ電話機１００の各部の動作を制御する。登録制御手段２０４はＩＰ電話機１００の各種状態などをＳＩＰサーバ１４に登録する制御を行う。
【００４２】
通常は、ＩＰ電話機１００の電源が投入された際に自ＩＰ電話機のＩＤ番号や電話番号、ＩＰアドレス、ユーザーＩＤ、在席、不在等のプレゼンス情報などをＳＩＰサーバ１４に登録する。ＳＩＰサーバ１４は各ＩＰ電話機１００から登録情報を受信し、登録管理メモリに記憶し、着信の接続制御を行う。
【００４３】
ＵＳＢポート２０９には携帯電話の充電器３０が接続され、充電器３０に携帯電話がセットされると、携帯電話検出手段２０７はＵＳＢポート２０９を介して携帯電話の存在を検出する。そして携帯電話番号取得手段２０５は充電器３０にセットされた携帯電話の携帯電話番号を取得する。携帯電話の番号を取得する方法としては、ＵＳＢポート２０８と携帯電話に各々に充電端子とは別にＵＳＢ端子を設け、このＵＳＢ端子から携帯電話の番号を取得する方法、あるいは、携帯電話が発信している位置登録信号を受信して、その位置登録信号に含まれる携帯電話番号を取得する方法、などを用いることができる。
【００４４】
携帯電話が検出され、携帯電話番号を取得すると、プレゼンス情報設定手段２０６はＩＰ電話機１００の利用者が在席であることを示すプレゼンス情報を当該ＩＰ電話機に設定する。通常、プレゼンス情報はＲＡＭ２０３に設けられたプレゼンス設定部（図示セズ）に記録され、利用者が、在席中、会議中、外出中、食事中など各種のプレゼンスの状態を入力部１６０から入力して設定する。
【００４５】
本発明においては、プレゼンス情報設定手段２０６により、ＲＡＭ２０３に設けられたプレゼンス設定部に記憶されている「在籍」あるいは「外出または離籍」のプレゼンス状態を示す情報を充電器３０に携帯電話がセットされている場合は「在席」、充電器３０に携帯電話がセットされていない場合は「外出または離席」に切り替える。そして登録制御手段はＲＡＭ２０３のプレゼンス設定部に記録されたプレゼンス情報をＳＩＰサーバ１４に送信して登録する。
【００４６】
そして、転送設定登録手段２０４は、ＩＰ電話機１００のＩＤや電話番号と携帯電話の電話番号を対応付けた情報と転送設定をオンまたはオフとする転送設定情報をプレゼンス情報と同様にＲＡＭ２０３に登録する。携帯電話が充電器３０にセットされている状態、すなわち、携帯電話検出手段２０７が携帯電話を検出している場合は転送設定が「オン」とされ、携帯電話が検出できない場合は転送設定が「オフ」とされる。この転送設定情報は、登録制御手段２０８によりＳＩＰサーバ１４に送られ、管理メモリに登録される。
【００４７】
従って、ＳＩＰサーバ１４に送信される登録設定情報は、プレゼンス情報および転送設定情報であり、プレゼンス情報には、「在席」あるいは「外出または離席」のプレゼンス状態を示す情報と、ＩＰ電話機１００のＩＤや電話番号と携帯電話の電話番号を対応付けた情報、転送設定をオンに登録するための転送設定情報をなどが含まれる。ＳＩＰサーバ１４は、ＩＰ電話機の登録制御手段２０８からこのプレゼンス情報、転送設定情報を受信すると、図示されない登録管理メモリに転送設定情報とプレゼンス情報を当該ＩＰ電話機の設定情報として登録（設定）する。
【００４８】
図３は、管理サーバであるＳＩＰサーバ１４に設けられた登録管理メモリ（図示していない）の構成を示す図であり、この登録管理メモリにＬＡＮ１１に接続された各ＩＰ電話機１２ａ〜１２ｄの設定情報が登録され、接続制御に用いられる。登録管理メモリはこの図に示されるように各ＩＰ電話機１２ａ〜１２ｄのＩＰ電話機ＩＤごとに、当該ＩＰ電話機のＩＰアドレス、電話番号、ユーザーＩＤ、充電器３０にセットされた携帯電話から取得した携帯番号、転送設定（オンまたはオフ）、在席または不在を示すプレゼンス情報が記憶されるように構成されている。
【００４９】
ＩＰ電話機１２ａに示されるように携帯電話１２ａが充電器３０にセットされている場合、携帯電話２１ａから取得した携帯電話の電話番号が記録され、転送設定はオン状態に設定され、プレゼンスは「在席」を示す情報が設定される。
【００５０】
ＳＩＰサーバ１４に上記の転送設定登録が行われると、内線接続されたＩＰ電話機１２ａ〜１２ｄ（図１参照）から当該ＩＰ電話機１２ａ〜１２ｄに接続された充電器３０にセットされた携帯電話２１ａ〜２１ｄ（図１参照）に対して通話発信があった場合、ＳＩＰサーバ１４は登録されているＩＰ電話機１２ａ〜１２ｄに着信転送することができるようになる。
【００５１】
図４は、上記のように携帯電話がＩＰ電話機の充電器３０にセットされた場合の着信転送手順を示す模式図である。携帯電話２１ａがＩＰ電話機１２ａに接続された充電器３０にセットされると、ＩＰ電話機１２ａは携帯電話２１ａを検出してその電話番号を取得する（図中の矢印ａ）。ＩＰ電話機１２ａは携帯電話２１ａの電話番号、転送設定情報、プレゼンス情報をＳＩＰサーバ１４に送り、登録する（図中の矢印ｂ）。内線接続された他のＩＰ電話機１２ｄから携帯電話２１ａに対する発信があれば（図中の矢印ｃ）、ＳＩＰサーバ１４は登録管理メモリに登録されている転送設定を参照してＩＰ電話機１２ａに転送着信させる（図中の矢印ｄ）。
【００５２】
一方、充電器３０から携帯電話が外された時には携帯電話検出手段２０８はこれを検出し、転送設定登録手段２０４は転送設定をオフとする転送設定情報をＲＡＭ２０３に設定し、プレゼンス情報設定手段２０６はプレゼンス情報をＲＡＭ２０３に設定する。登録制御手段２０８はこの転送設定情報、プレゼンス情報をＳＩＰサーバ１４に送り、ＳＩＰサーバ１４は登録管理メモリに登録された転送設定をオフに変更する。この状態で、内線接続されたＩＰ電話機１２ａ〜１２ｄ（図１参照）から携帯電話への通話発信があった場合、ＳＩＰサーバ１４において転送設定がオフにされ転送設定解除されているからＩＰ電話機に着信転送することなく、着信があった電話番号の携帯電話に着信接続する。
【００５３】
図５は、上記のように携帯電話がＩＰ電話機の充電器３０から外され、利用者が外出先などに携帯している場合の接続手順を示す模式図である。携帯電話２１ａがＩＰ電話機１２ａに接続された充電器３０から外される（図中の矢印a）と、ＩＰ電話機１２ａは携帯電話２１ａを検出できなくなり、転送設定をオフにする転送設定情報およびプレゼンス情報をＳＩＰサーバ１４に送り、転送設定を解除する（図中の矢印ｂ）。この状態で、内線接続された他のＩＰ電話機１２ｄから携帯電話２１ａに対する発信があれば（図中の矢印ｃ）、ＳＩＰサーバ１４は登録管理メモリに登録されている転送設定がオフであるから、携帯電話網（公衆回線網：ＰＳＴＮ１５（図１参照））を経由して携帯電話２１ａに着信接続させる（図中の矢印ｄ）。
【００５４】
以上の実施例において、ＩＰ電話機１２ａ〜１２ｄは、ＩＰ電話機として設計されたハードフォンであってもよく、パーソナルコンピュータのようなコンピュータ装置にインストールしたアプリケーションソフトウェアによってＩＰ電話機として動作する、いわゆる、ソフトフォンであってもよい。
【００５５】
以上、説明したように、本発明にかかるＩＰ電話システムおよびＩＰ電話機によれば、ＩＰ電話機の利用者が携帯電話を所持しており、ＩＰ電話機を利用できる環境にある場合、すなわち、ＩＰ電話機に接続された充電器に携帯電話がセットされた場合には、携帯電話に対して着信があった時、携帯電話でなくＩＰ電話機に着信接続することができるようになる。
【図面の簡単な説明】
【００５６】
【図１】本発明の実施例にかかるＩＰ電話システムの構成を示すシステム構成図である。
【図２】本発明の実施例にかかるＩＰ電話機の構成を示すブロック図である。
【図３】管理サーバに設けられた登録管理メモリのデータ構成を示す図である。
【図４】携帯電話がＩＰ電話機の充電器にセットされた場合の着信転送手順を示す模式図である。
【図５】携帯電話がＩＰ電話機の充電器から外され利用者が携帯している場合の着信接続手順を示す模式図である。
【符号の説明】
【００５７】
１００・・・・ＩＰ電話機
１１０・・・・ＬＡＮインターフェース
１２０・・・・スピーカ
１３０・・・・マイク
１４０・・・・音声コーデック
１５０・・・・表示部
１６０・・・・入力部
２００・・・・制御手段
２０１・・・・ＣＰＵ
２０２・・・・ＲＯＭ
２０３・・・・ＲＡＭ
２０４・・・・転送設定登録手段
２０５・・・・携帯電話番号取得手段
２０６・・・・プレゼンス情報設定手段
２０７・・・・携帯電話検出手段
２０８・・・・登録制御手段
２０９・・・・ＵＳＢポート
３０・・・・・充電器
【図１】
2007318232.tif 000003
【図２】
2007318232.tif 000004
【図３】
2007318232.tif 000005
【図４】
2007318232.tif 000006
【図５】
2007318232.tif 000007